(57)【要約】      （修正有）【課題】感圧キーの異なる位置で発生する信号を基準化する感圧キー技術を提供する。【解決手段】装置は、スペーサ層によってセンサ基板から離間されるフレキシブル接触層７００を有する少なくとも１つの感圧キーを含む。フレキシブル接触層は、感圧キーに関連付けられる、コンピューティング装置のための、入力を引き起こすためにセンサ基板に接触するよう圧力に応じて曲がるように構成される。フレキシブル接触層又はセンサ基板の少なくとも一方は、フレキシブル接触層の第１の位置である第１の感知領域７０２に印加される圧力から生じる出力を、第１の位置より小さい柔軟性を有するフレキシブル接触層の第２の位置である第２の感知領域７０４に印加される圧力から生じる出力と少なくとも部分的に基準化するように構成される。【選択図】図７
2018032430.tif 000002
【特許請求の範囲】
【請求項１】
スペーサ層によってセンサ基板から離間されるフレキシブル接触層を有する少なくとも１つの感圧キーを有する装置であって、
前記フレキシブル接触層は、前記感圧キーに関連付けられる、コンピューティング装置のための、入力を引き起こすために前記センサ基板に接触するよう圧力の印加に応じて曲がるように構成され、
前記フレキシブル接触層又は前記センサ基板の少なくとも一方は、少なくとも部分的に、前記フレキシブル接触層の第１の位置に印加される圧力から生じる出力を、前記フレキシブル接触層の第２の位置に印加される圧力から生じる出力と、前記フレキシブル接触層の前記第１の位置に対応する前記センサ基板の第１の位置における導体より大きい前記センサ基板の平面に沿った大きい表面積を有する前記センサ基板の第２の位置における前記センサ基板の導体を使用することによって、基準化するように構成される、
装置。
【請求項２】
前記フレキシブル接触層の前記第２の位置は、前記フレキシブル接触層の前記第１の位置より前記スペーサ層の端部の近くに位置する、
請求項１に記載の装置。
【請求項３】
前記フレキシブル接触層は、前記第１の位置と比べて前記第２の位置において大きい量の感圧インクを含むことによって前記出力を基準化するように構成される、
請求項１に記載の装置。
【請求項４】
前記センサ基板は：
前記フレキシブル接触層の前記第１の位置に対応する前記センサ基板の第１の位置の第１のセンサ；及び
前記フレキシブル接触層の前記第２の位置に対応する前記センサ基板の第２の位置の第２のセンサ；
を含むことによって、前記出力を基準化するように構成される、
請求項１に記載の装置。
【請求項５】
前記センサ基板は、前記フレキシブル接触層の前記第１の位置に対応する前記センサ基板の第１の位置におけるより前記フレキシブル接触層の前記第２の位置に対応する前記センサ基板の第２の位置において、前記センサ基板の導体を互いに近い間隔にすることによって前記出力を基準化するように構成される、
請求項１に記載の装置。
【請求項６】
コンピューティング装置の入力を引き起こすように構成される複数の感圧キーを有するキーボードであって、前記複数の感圧キーのそれぞれは、スペーサ層によってセンサ基板から離間されるフレキシブル接触層を有し、前記フレキシブル接触層は、前記コンピューティング装置のための前記感圧キーに関連付けられる入力を引き起こすために前記センサ基板に接触するよう圧力の印加に応じて曲がるように構成され、前記フレキシブル接触層又は前記センサ基板の少なくとも一方は、前記フレキシブル接触層の第１の位置において印加される圧力から生じる出力を、前記フレキシブル接触層の第２の位置において印加される圧力から生じる出力と、前記フレキシブル接触層の前記第１の位置と比べた前記第２の位置における大きい量の感圧インクの使用を通じて、少なくとも部分的に基準化するように構成され、前記第２の位置は前記第１の位置より前記スペーサ層の端部の近くに位置する、
キーボード。
【請求項７】
前記フレキシブル接触層は、前記第１の位置と比べて前記第２の位置における抵抗を減少させることによって前記出力を基準化するように構成される、
請求項６に記載のキーボード。
【請求項８】
前記センサ基板は：
前記フレキシブル接触層の前記第１の位置に対応する前記センサ基板の第１の位置の第１のセンサ；及び
前記フレキシブル接触層の前記第２の位置に対応する前記センサ基板の第２の位置の第２のセンサ；
を含む、
請求項６に記載のキーボード。
【請求項９】
前記センサ基板の導体が、前記フレキシブル接触層の前記第１の位置に対応する前記センサ基板の第１の位置におけるより、前記フレキシブル接触層の前記第２の位置に対応する前記センサ基板の第２の位置において、互いに近い間隔にされる、
請求項６に記載のキーボード。
【請求項１０】
前記センサ基板の導体が、前記フレキシブル接触層の前記第２の位置に対応する前記センサ基板の第２の位置において、前記フレキシブル接触層の前記第１の位置に対応する前記センサ基板の第１の位置における導体より大きい、
請求項６に記載のキーボード。
【請求項１１】
前記フレキシブル接触層は、圧力の量に応じて前記第１の位置で、前記圧力の量の印加に応じた前記第２の位置におけるより、大きく曲がるように構成される、
請求項６に記載のキーボード。
【請求項１２】
装置であって：
少なくとも１つの感圧キーを有し、前記少なくとも１つの感圧キーは：
センサ基板と；
スペーサ層によって前記センサ基板から離間されるフレキシブル接触層であって、前記フレキシブル接触層は、前記感圧キーに関連付けられる入力を引き起こすために前記センサ基板に接触するよう圧力の印加に応じて曲がるように構成され、前記フレキシブル接触層及び前記センサ基板は、前記センサ基板の導体を１つの位置において前記基板の他の位置より互いに近い間隔にすることによって、異なる柔軟性を有する前記フレキシブル接触層の異なる位置において印加される圧力から生じる出力を少なくとも部分的に基準化するように構成される、フレキシブル接触層と；
を有する、
装置。
【請求項１３】
前記位置の少なくとも１つは、前記フレキシブル接触層の前記位置の他の１つより前記スペーサ層の端部の近くに位置する、
請求項１２に記載の装置。
【請求項１４】
前記フレキシブル接触層は、前記位置の１つにおける抵抗を前記位置の他と比較して減少させることによって、前記出力を基準化するように構成される、
請求項１２に記載の装置。
【請求項１５】
前記フレキシブル接触層は、前記位置の１つにおいて、前記位置の他と比較して大きい量の感圧インクを含むことによって、前記出力を基準化するように構成される、
請求項１２に記載の装置。
【請求項１６】
前記センサ基板は、前記基板の１つ位置において他の位置より大きい表面積を有する前記センサ基板の導体を使用することによって、前記出力を基準化するように構成される、
請求項１２に記載の装置。
【請求項１７】
スペーサ層によってセンサ基板から離間されるフレキシブル接触層を有する少なくとも１つの感圧キーを有する装置であって、前記フレキシブル接触層は、前記感圧キーに関連付けられる、コンピューティング装置のための、入力を引き起こすために前記センサ基板に接触するよう圧力の印加に応じて曲がるように構成され、前記フレキシブル接触層又は前記センサ基板の少なくとも一方は、前記フレキシブル接触層の第１の位置において印加される圧力から生じる出力を、前記フレキシブル接触層の第２の位置において印加される圧力から生じる出力と、前記フレキシブル接触層の前記第１の位置に対応する前記センサ基板の第１の位置の第１のセンサ；及び前記フレキシブル接触層の前記第２の位置に対応する前記センサ基板の第２の位置の第２のセンサを含むとともに、前記第１の位置と比べて前記第２の位置における抵抗を減少させることによって、少なくとも部分的に基準化するように構成される、
装置。
【請求項１８】
前記フレキシブル接触層の前記第２の位置は、前記フレキシブル接触層の前記第１の位置より前記スペーサ層の端部の近くに位置する、
請求項１７に記載の装置。
【請求項１９】
前記フレキシブル接触層はまた、前記第１の位置において、前記第２の位置と比較して大きい量の感圧インクを含むことによって、前記出力を基準化するように構成される、
請求項１７に記載の装置。
【請求項２０】
前記センサ基板はまた、前記フレキシブル接触層の前記第１の位置に対応する前記センサ基板の第１の位置におけるより、前記フレキシブル接触層の前記第２の位置に対応する前記センサ基板の第２の位置において、前記センサ基板の導体を互いに近い間隔にすることによって、前記出力を基準化するように構成される、
請求項１７に記載の装置。
【請求項２１】
前記センサ基板はまた、前記フレキシブル接触層の前記第１の位置に対応する前記センサ基板の第１の位置における導体より大きい、前記センサ基板の第２の位置における前記センサ基板の導体を使用することによって、前記出力を基準化するように構成される、
請求項１７に記載の装置。
【発明の詳細な説明】
【背景技術】
【０００１】
モバイルコンピューティング装置が、ユーザにモバイル設定を利用可能にする機能性を増大するために開発されている。例えば、ユーザは、電子メールをチェックするために、ウェブをサーフィンするために、文章を作成するために、アプリケーションと情報をやりとりするためになど、携帯電話、タブレットコンピュータ、又は他のモバイルコンピューティング装置と情報をやりとりし得る。しかし、従来のモバイルコンピューティング装置はしばしば、装置のタッチスクリーン機能を使用してアクセスされた仮想キーボードを採用していた。これは一般的に、コンピュータ装置の表示領域の量を最大にするために用いられていた。
【発明の概要】
【発明が解決しようとする課題】
【０００２】
しかし、仮想キーボードの使用は、例えば、長い電子メール、文書等を作成するために相当量のテキストを入力すること等、相当量の入力を提供することを望むユーザをいらいらさせることがあり得た。したがって、従来のモバイルコンピューティング装置は、しばしば、特に、例えば、従来のデスクトップコンピュータの、従来のキーボードを使用してユーザがテキストを入力することができた容易さと比較して、このようなタスクに対する有用性を限定していたことがわかった。もっとも、モバイルコンピューティング装置と一緒の従来のキーボードの使用は、モバイルコンピューティング装置の移動性を減らすことがあり得、したがって、モバイルコンピューティング装置をモバイル設定でのその意図された使用により適さなくし得た。
【課題を解決するための手段】
【０００３】
感圧キー技術が記載される。１又は複数の実装では、感圧キーが、１又は複数の導体を有するセンサ基板、及びセンサ基板から離間されるとともにセンサ基板に接触するような圧力の印加に応じて曲がるように構成されるフレキシブル接触層を含む。フレキシブル接触層は、力感受性インクを使用してセンサ基板に接触するように構成される第１の位置及び第２の位置であって、第２の位置が第１の位置より増加した導電性を有するように力感受性インクを使用してセンサ基板に接触するように構成される第２の位置を有する。
【０００４】
１又は複数の実装では、感圧キーが、圧力の印加に応じて曲がるように構成されるフレキシブル接触層、及びフレキシブル接触層から離間されるとともに圧力の印加に応じてフレキシブル接触層による接触のために位置決めされるセンサ基板を含む。センサ基板は、第１の位置及び第２の位置においてフレキシブル接触層によって接触されるように構成される１又は複数の導体を有し、第２の位置は、第１の位置に比べて増加した導電性を有するように構成される。
【０００５】
１又は複数の実装では、キーボードが、コンピューティング装置の入力を引き起こすように構成される複数の感圧キーを含み、複数の感圧キーのそれぞれは、スペーサ層によってセンサ基板から離間されるフレキシブル接触層を有する。フレキシブル接触層は、感圧キーに関連付けられる、コンピューティング装置のための、入力を引き起こすためにセンサ基板に接触するよう圧力の印加に応じて曲がるように構成される。センサ基板は、それぞれの第１及び第２の位置においてフレキシブル接触層によって接触されるように構成される１又は複数の導体を有し、センサ基板の第２の位置及びフレキシブル接触層は、センサ基板の第１の位置及びフレキシブル接触層に比べて増加した導電性を有するように構成される。
【０００６】
１又は複数の実装では、装置は、スペーサ層によってセンサ基板から離間されるフレキシブル接触層を有する少なくとも１つの感圧キーを含み、フレキシブル接触層は、感圧キーに関連付けられる、コンピューティング装置のための、入力を引き起こすためにセンサ基板に接触するよう圧力に応じて曲がるように構成される。フレキシブル接触層又はセンサ基板の少なくとも一方は、少なくとも部分的に、フレキシブル接触層の第１の位置に印加される圧力から生じる出力を、第１の位置より小さい柔軟性を有するフレキシブル接触層の第２の位置に印加される圧力から生じる出力と基準化する（基準に合わせる）ように構成される。
【０００７】
１又は複数の実装では、入力装置が、コンピューティング装置の対応する入力を引き起こすように構成される複数の感圧キーを含む。複数の感圧キーのそれぞれは、スペーサ層によってセンサ基板から離間されるフレキシブル接触層から形成される。第１の感圧キーは、前記フレキシブル接触層又はそれぞれの前記センサ基板の少なくとも一方の構成を通して、第２の感圧キーより圧力に対する大きい感度を有するように構成される。
【０００８】
１又は複数の実装では、キーボードが、コンピューティング装置の対応する入力を引き起こすように構成される複数の感圧キーを含み、複数の感圧キーのそれぞれは、スペーサ層によってセンサ基板から離間されるフレキシブル接触層を含む。フレキシブル接触層は、コンピューティング装置のための、感圧キーに関連付けられる入力を引き起こすためにセンサ基板に接触するよう圧力に応じて曲がるように構成される。フレキシブル接触層又はセンサ基板の少なくとも一方は、フレキシブル接触層の第１の位置に印加される圧力から生じる出力を、フレキシブル接触層の第２の位置に印加される圧力から生じる出力と、少なくとも部分的に基準化するように構成され、第２の位置は第１の位置よりスペーサ層の端部の近くに位置する。
【０００９】
この概要は、詳細な説明において以下で更に記載される単純化された形態において概念の選択を導入するために設けられている。この概要は、請求項に記載された主題の重要な特徴又は必須の特徴を特定することも、請求項に記載された主題の範囲を決定する助けとして使用されることも意図されない。
【図面の簡単な説明】
【００１０】
詳細な説明は、添付の図面を参照して記載される。図面において、一番左の番号は、参照番号が最初に現れる図面を特定する。明細書及び図面において異なる事例に同じ番号が付されているものは、類似の又は同じ項目を示している。図面に表されるエンティティは、１又は複数のエンティティを示し得、したがって、説明において単数又は複数のエンティティへの参照が交換可能に行われ得る。
【図１】本明細書に記載される技術を用いるために動作可能である例示的な実装の環境を示す。
【図２】フレキシブルヒンジを詳細に示す図１の入力装置の例示的な実装を描く。
【図３】機械的結合突出部及び複数の通信接点を含む図２の接続部の斜視図を示す例示的な実装を描く。
【図４】図２の入力装置のキーボードの感圧キーの断面図の例を描く。
【図５】センサ基板の対応する第１の位置と接触をもたらすようにフレキシブル接触層の第１の位置に圧力が印加されている図４の感圧キーの例を描く。
【図６】センサ基板の対応する第２の位置と接触をもたらすようにフレキシブル接触層の第２の位置に圧力が印加されている図４の感圧キーの例を描く。
【図７】スイッチの複数の位置で発生する出力を基準化するように構成される単一の感圧キーのフレキシブル接触層の例を示す。
【図８】異なる位置での圧力を検出するための複数のセンサを含む図４の感圧キーの例を描く。
【図９】感圧キーの異なる位置で発生する信号を基準化するように構成される感圧キーのセンサ基板の導体の例を描く。
【図１０】本明細書に記載される技術の実施形態を実装するために、図１−９を参照して記載される任意のタイプのコンピューティング装置として実装されることができる例示的な装置の様々な構成要素を含む、例示的なシステムを示す。
【発明を実施するための形態】
【００１１】
[概要]
感圧キーが、例えば約３．５ミリメートル未満等、比較的薄いフォームファクタに対応するように入力装置の一部として使用され得る。しかし、感圧キーは、従来の機械的なキーボードで一般的なある程度のフィードバックを提供しない場合があり、したがって、キーボードの意図したキーに対する打ち損ない及び部分的なキー打ちをもたらし得る。さらに、感圧キーの従来の構成はしばしば、例えば、より大きいたわみが一般的に、キーの端部とは対照的に、キーの中心領域で観察される等、曲げられる材料の柔軟性に起因して、異なる感度をもたらし得る。したがって、従来の感圧キーは、キーを用いる装置での一貫性のないユーザエクスペリエンスをもたらすことがあり得る。
【００１２】
感圧キー技術が記載される。１又は複数の実装では、感圧キーは、基準化された出力を提供するように、例えば、感圧キーの異なる位置における柔軟性の違いを打ち消すように、構成される。例えば、キーの端部の感度は、キーの中心の感度と比較して、これらの位置でのキーの柔軟性の違いに対処するために、増加され得る。
【００１３】
感度は、フレキシブル接触層の中心とは対照的にフレキシブル接触層の端部において力感受性インクの量を増やすことによって、調整され得る。他の例では、センサ基板内で接触されるように利用可能な導体の量が増加され得る。これは、例えば、センサ基板の中心とは対照的にフレキシブル接触層によって接触されるセンサ基板の端部におけるギャップの配置、導電材料の量、表面積、等を通じてなど、様々な方法で実行され得る。
【００１４】
感度はまた、種々のキーに対して調整され得る。例えば、より軽い圧力を受ける可能性が高いキー（例えば、最下段の、キーボードの端部の近くに位置するキー等）は、より高い量の圧力を受けそうなキー、例えば、ホームキー列のキー等と比べて、増大された感度を有するように構成され得る。これらの及び他の特徴のさらなる説明が、以下の段落に関連して見つけられ得る。
【００１５】
以下の説明では、本明細書に記載される技術を用い得る例示的な環境が最初に記載される。例示的な環境並びに他の環境で実行され得る例示的なプロシージャが次に記載される。したがって、例示的なプロシージャの性能は、例示的な環境に制限されず、例示的な環境は例示的なプロシージャの性能に制限されない。
[例示的な環境]
図１は、本明細書に記載される技術を用いるように動作可能である実装例の環境１００の図である。図示された環境１００は、フレキシブルヒンジ１０６を介して入力装置１０４に物理的に及び通信可能に結合されるコンピューティング装置１０２の例を含む。コンピューティング装置１０２は、様々な方法で構成され得る。例えば、コンピューティング装置１０２は、例えば、携帯電話、図示されたようなタブレットコンピュータ等、モバイル使用のために構成され得る。したがって、コンピューティング装置１０２は、かなりのメモリ及びプロセッサリソースを持つフルリソース装置から限られたメモリ及び／又はプロセッサリソースを持つ低リソース装置に及び得る。コンピューティング装置１０２はまた、コンピューティング装置１０２に１又は複数の動作を実行させるソフトウェアに関連し得る。
【００１６】
コンピューティング装置１０２は、例えば、入力／出力モジュール１０８を含むように図示される。入力／出力モジュール１０８は、コンピューティング装置１０２の入力及びレンダリング出力の処理に関連する機能を代表する。例えば、入力装置１０４のキー、ジェスチャを識別するとともに入力装置１０４及び／又はディスプレイ装置１１０のタッチスクリーン機能を通じて認識され得るジェスチャに対応して動作が実行されることをもたらすようにディスプレイ装置１１０によって表示される仮想キーボードのキー、などに対応する機能に関連する入力等、様々な異なる入力が、入力／出力モジュール１０８によって処理され得る。したがって、入力／出力モジュール１０８は、キー押し、ジェスチャ等を含む入力の種類の間の境界を認識するとともに利用することによって様々な異なる入力技術をサポートし得る。
【００１７】
図示された例では、入力装置１０４は、ＱＷＥＲＴＹ配列のキーを有するキーボードとして構成されるが、他の配列のキーも考えられる。さらに、例えば、ゲームコントローラ、楽器を模倣する構成等、他の非従来的な構成も考えられる。したがって、入力装置１０４及び入力装置１０４に組み込まれるキーは、様々な異なる機能をサポートするように様々な異なる構成を想定し得る。
【００１８】
前述のように、入力装置１０４は、この例ではフレキシブルヒンジ１０６の使用を通じて、コンピューティング装置１０２に物理的に及び通信可能に結合される。フレキシブルヒンジ１０６は、ヒンジによって支持される回転運動が、ピンによって支持される機械的な回転とは対照的に（しかし、この実施形態も考えられる）、ヒンジを形成する材料の屈曲（例えば、曲げ）を通じて達成されるという点で柔軟である。さらに、この柔軟な回転は、一方向の（例えば、図において垂直な）運動を支持するが、例えば、コンピューティング装置１０２に対する入力装置１０４の横方向の運動等、他の方向への運動を制限するように構成され得る。これは、コンピューティング装置１０２に対する入力装置１０４の不変の配置をサポートするように、例えば、電源の状態、アプリケーションの状態等を変更するために使用されるセンサを位置合わせするように、使用され得る。
【００１９】
フレキシブルヒンジ１０６は、例えば、１又は複数のファブリックの層を使用して形成され得るとともに、入力装置１０４をコンピューティング装置１０２に及びその逆に通信可能に結合するようにフレキシブル配線として形成される導体を含み得る。この通信は、例えば、キー押しの結果をコンピューティング装置１０２に伝えるため、コンピューティング装置から電力を受けるため、認証を実行するため、コンピューティング装置１０２に補助電力を供給するため等に使用され得る。フレキシブルヒンジ１０６は、様々な方法で構成されることができ、その更なる説明が、以下の図に関連して見つけられ得る。
【００２０】
図２は、詳細にフレキシブルヒンジ１０６を示す図１の入力装置１０４の例示的な実装２００を描く。この例では、入力装置の接続部２０２が示され、この接続部２０２は入力装置１０４とコンピューティング装置１０２との間の通信可能及び物理的な接続を提供するように構成される。この例では、接続部２０２は、コンピューティング装置１０２のハウジングのチャンネルに受けられるように構成される高さ及び断面を有するが、この構成はまたそれらの精神及び範囲から離れることなしに反転され得る。
【００２１】
接続部２０２は、フレキシブルヒンジ１０６の使用を通じて、キーを含む入力装置１０４の一部に柔軟に接続される。したがって、接続部２０２がコンピューティング装置に物理的に接続されるとき、接続部２０２及びフレキシブルヒンジ１０６の組み合わせは、本のヒンジと同様であるコンピューティング装置１０２に対する入力装置１０４の運動を支える。
【００２２】
例えば、回転運動は、入力装置１０４がコンピューティング装置１０２のディスプレイ装置１１０に接して置かれ得るように、したがってカバーとして機能し得るように、フレキシブルヒンジ１０６によって支えられ得る。入力装置１０４はまた、コンピューティング装置１０２の背面に接して、例えば、コンピューティング装置１０２のディスプレイ装置１１０の反対に配置されるコンピューティング装置１０２の後部ハウジングに接して、配置されるように、回転され得る。
【００２３】
当然ながら、様々な他の配向もまたサポートされる。例えば、コンピューティング装置１０２及び入力装置１０４は、両方が図１に示されるように表面に接して平らに置かれるような配置が想定され得る。他の例では、タイピング配置がサポートされることができ、この配置では、入力装置１０４は、表面に接して平らに置かれるとともに、コンピューティング装置１０２は、例えば、コンピューティング装置１０２の背面に配置されたスタンドの使用を通じて等、ディスプレイ装置１１０を見ることを可能にするようにある角度で配置される。例えば、三脚配置、ミーティング配置、プレゼンテーション配置等、他の例もまた想定される。
【００２４】
接続部２０２は、この例において、磁石結合装置２０４、２０６、機械的結合突出部２０８、２１０、及び複数の通信接点２１２を含むものとして示される。磁石結合装置２０４、２０６は、１又は複数の磁石の使用を通じて、コンピューティング装置１０２の相補的な磁石結合装置に磁気的に結合されるように構成される。このような方法で、入力装置１０４は、磁気吸引の使用を通じてコンピューティング装置１０２に物理的に固定され得る。
【００２５】
接続部２０２はまた、入力装置１０４とコンピューティング装置１０２との間の機械的な物理的接続を形成するための機械的結合突出部２０８、２１０を含む。機械的結合突出部２０８、２１０は、次の図に詳細に示される。
【００２６】
図３は、機械的結合突出部２０８、２１０及び複数の通信接点２１２を含む図２の接続部２０２の斜視図を示す例示的な実装３００を描く。図示されるように、機械的結合突出部２０８、２１０は、接続部２０２の表面から離れて延びるように構成され、これは、この場合には、垂直であるが、他の角度もまた考えられる。
【００２７】
機械的結合突出部２０８、２１０は、コンピューティング装置１０２のチャンネル内の相補的な空洞の中に受けられるように構成される。このように受けられたとき、機械的結合突出部２０８、２１０は、突出部の高さ及び空洞の深さに対応するように定められる軸と合わせられていない（一直線にされていない）力が印加されるときの装置間の機械的な拘束を促進する。
【００２８】
例えば、突出部の高さ及び空洞の深さに沿う前述の長手方向軸と一致する力が印加されるとき、ユーザは、単に入力装置１０４をコンピューティング装置１０２から分離させるためだけに磁石によって印加される力に打ち勝つ。しかし、他の角度では、機械的結合突出部２０８、２１０は、空洞内に機械的に拘束するように構成され、それによって、機械的結合突出部２０８、２１０の磁力に加えて、コンピューティング装置１０２からの入力装置１０４の取り外しに抵抗する力を作る。このような方法で、機械的結合突出部２０８、２１０は、コンピューティング装置１０２からの入力装置１０４の取り外しを本からページを破ることをまねるように偏らせ、装置を分離するための他の試みを制限する。
【００２９】
接続部２０２はまた、複数の通信接点２１２を含んで示される。複数の通信接点２１２は、装置間の通信結合を形成するようにコンピューティング装置１０２の対応する通信接点と接触するように構成される。通信接点２１２は、例えば、入力装置１０４とコンピューティング装置１０２との間の一致した通信接点を提供するように構成される複数のバネ付勢されるピンを使用する構造を通じて等、様々な方法で構成され得る。したがって、通信接点は、装置の押し合う小さい運動中に存続するように構成され得る。コンピューティング装置１０２のピン及び入力装置１０４の接点の配置を含む、様々な他の例もまた考えられる。
【００３０】
図４は、図２の入力装置１０４のキーボードの感圧キー４００の断面図の例を描く。この例の感圧キー４００は、センサ基板４０４に形成されるスペーサ層４０６、４０８等を使用してセンサ基板４０４から離間されるフレキシブル接触層４０２（例えば、マイラー）を使用して形成されるものとして示され、このスペーサ層４０６、４０８は、マイラーのもう一つの層として形成され得る。この例では、フレキシブル接触層４０２は、フレキシブル接触層４０２に対する圧力の印加がない限りセンサ基板４０４に接触しない。
【００３１】
この例のフレキシブル接触層４０２は、センサ基板４０４に接触するように構成されるフレキシブル接触層４０２の表面に配置された力感受性インク４１０を含む。力感受性インク４１０は、インクの抵抗の量が印加される圧力の量に関連して直接変化するように構成される。力感受性インク４１０は、例えば、フレキシブル接触層４０２に対する圧力の印加に際してセンサ基板４０４に対して押し付けられる比較的粗い表面を備えて構成され得る。圧力の量が大きいほど、より多くの力感受性インク４１０が押し付けられ、それによって、導電性を増加させるとともに力感受性インク４１０の抵抗を減少させる。他のタイプの感圧及び非感圧導体を含む、他の導体もまた、そのための精神及び範囲から離れることなしにフレキシブル接触層４０２に配置され得る。
【００３２】
センサ基板４０４は、フレキシブル接触層４０２の力感受性インク４１０によって接触されるように構成される、その上に配置される１又は複数の導体４１２を含む。接触されるとき、アナログ信号が、例えば、信号がコンピューティング装置１０２のための入力を提供することがユーザによって意図される可能性があるかどうかを認めるために等、入力装置１０４及び／又はコンピューティング装置１０２によって処理するために生成され得る。例えば、様々な導電材料（例えば、銀、銅）から形成される、図９に関連してさらに記載されるような様々な異なる構成で配置され得る等、様々な異なるタイプの導体４１２がセンサ基板４０４に配置され得る。
【００３３】
図５は、センサ基板４０４の対応する第１の位置との力感受性インク４１０の接触をもたらすようにフレキシブル接触層４０２の第１の位置に圧力が印加されている図４の感圧キー４００の例５００を描く。圧力は、図５において矢印の使用を通じて示され、例えば、ユーザの手の指、スタイラス、ペンなどによって等、様々な方法で印加され得る。この例では、圧力が矢印で示されるように印加される第１の位置は、スペーサ層４０６、４０８の間に配置されるフレキシブル接触層４０２の中心領域の概して近くに位置する。この位置のために、フレキシブル接触層４０２は、概して柔軟であると見なされることができ、したがって圧力に対して応答し得る。
【００３４】
この柔軟性は、フレキシブル接触層４０２、したがって、力感受性インク４１０の比較的大きい面積がセンサ基板４０４の導体４１２に接触することを可能にする。したがって、比較的強い信号が発生し得る。さらに、フレキシブル接触層４０２の柔軟性がこの位置において比較的高いため、比較的大きい量の力がフレキシブル接触層４０２を通じて伝達されることができ、それによって、この圧力を力感受性インク４１０に印加する。前述のように、圧力のこの増加は、力感受性インクの導電性の対応する増加を生じさせ得るとともにインクの抵抗を減少させ得る。したがって、第１の位置におけるフレキシブル接触層の比較的高い量の柔軟性は、キーの端部の近くに位置するフレキシブル接触層４０２の他の位置と比較して比較的強い信号を発生させることができ、この例は以下の図と関連して記載される。
【００３５】
図６は、センサ基板４０４の対応する第２の位置と接触をもたらすようにフレキシブル接触層４０２の第２の位置に圧力が印加されている図４の感圧キー４００の例６００を描く。この例では、圧力が印加される図６の第２の位置は、図５の第１の位置より感圧キーの端部の近くに（例えば、スペーサ層４０６の端部の近くに）位置する。この位置のために、フレキシブル接触層４０２は第１の位置と比べたときに減少した柔軟性を有し、したがって、圧力に対する応答が低下する。
【００３６】
この減少した柔軟性は、センサ基板４０４の導体４１２に接触する、フレキシブル接触層４０２の、したがって、力感受性インク４１０の面積の減少を生じさせ得る。したがって、第２の位置で生じる信号は、図５の第１の位置で生じる信号より弱くなり得る。
【００３７】
さらに、フレキシブル接触層４０２の柔軟性がこの位置において比較的低いため、比較的低い量の力がフレキシブル接触層４０２を通じて伝達されることができ、それによって、力感受性インク４１０に伝達される圧力の量を減少させる。前述のように、圧力のこの減少は、力感受性インクの導電性の対応する減少を生じさせ得るとともに、図５の第１の位置と比較したインクの抵抗を増加させ得る。したがって、第１の位置と比べた第２の位置におけるフレキシブル接触層４０２の減少した柔軟性は、比較的弱い信号を発生させ得る。さらに、この状況は、ユーザの指のより小さい部分が図５の第１の位置と比較した図６の第２の位置において圧力を印加することができる、部分的な押しによって悪化し得る。
【００３８】
しかし、前述のように、本技術が第１及び第２の位置におけるスイッチによって生成される出力を基準化するために用いられ得る。これは、例えば、図７に関連して記載されるようなフレキシブル接触層４０２の構成、図８に関連して記載されるような複数のセンサの使用、図９に関連して記載されるようなセンサ基板４０４の構成、及び以下の図に関連してさらに記載されるようなそれらの組み合わせを通じて等、様々な方法で実行され得る。
【００３９】
図７は、スイッチの複数の位置で発生する出力を基準化するように構成される単一の感圧キーのフレキシブル接触層の例７００を示す。この例では、センサ基板４０４の導体４１２に接触するように構成される図４のフレキシブル接触層４０２の「底部」又は「下側」の図が示される。
【００４０】
フレキシブル接触層４０２は、第１及び第２の感知領域７０２、７０４を有するように示される。この例の第１の感知領域７０２は、図５において圧力が印加される第１の位置に概して対応し、第２の感知領域７０４は、図６において圧力が印加される第２の位置に概して対応する。
【００４１】
前述のように、スイッチの端部からの距離の変化に起因するフレキシブル接触層４０２の屈曲は、距離がキーの端部から増加するとき、比較的強い信号を生成させ得る。したがって、この例では、第１及び第２の感知領域７０２、７０４は、異なる位置で生成される信号７０６を基準化するように構成される。これは、例えば、第１の感知領域７０２に比べて第２の感知領域７０４においてより高い導電性及びより低い抵抗を有することによって等、様々な方法で行われ得る。
【００４２】
導電性及び／又は抵抗の違いは、様々な技術を使用して達成され得る。例えば、力感受性インクの１又は複数の初期層が、例えば、シルクスクリーン、印刷プロセス、又はインクが表面に対して配置され得る他のプロセスの使用を通じて等、第１及び第２の感知領域７０２、７０４をカバーするフレキシブル接触層４０２に塗布され得る。１又は複数の追加的な層が次に、第２の感知領域７０４に塗布され得るとともに、第１の感知領域７０２には塗布されない。
【００４３】
これは、第２の感知領域７０４に、与えられた面積に対して第１の感知領域７０２より大きい量（例えば厚さ）の力感受性インクを有させ、これは導電性の対応する増加及び抵抗の減少をもたらす。したがって、この技術は、異なる位置でのフレキシブル接触層４０４の柔軟性の違いを少なくとも部分的に打ち消すように機能し得る。この例では、第２の感知領域７０４における力感受性インクの増加した高さはまた、センサ基板４０４の導体４１２との接触の生成に関わる屈曲の量を減少させるように機能し、これはまた、信号を基準化するのに役立ち得る。
【００４４】
第１及び第２の感知領域７０２、７０４での導電性及び／又は抵抗の違いは、様々な他の方法で達成され得る。例えば、第１の力感受性インクが第１の感知領域７０２に塗布され得るとともに、より高い導電性及び／又は抵抗を有する第２の力感受性インクが第２の感知領域７０４に塗布され得る。さらに、「入れ子状態」の第２及び第２の感知領域７０２、７０４の配置が図７に示されているが、例えば、スイッチの角において感度をさらに増加させること、圧力に対する異なる感度を有する２より大きい感知領域を用いること、導電性の勾配の使用等、様々な他の配置もまた利用され得る。例えば、１つのキーに対して複数のセンサの使用をサポートすること等、他の例も考えられ、この例は以下の図と関連して記載される。
【００４５】
図８は、異なる位置での圧力を検出するための複数のセンサを含む図４の感圧キーの例８００を描く。前述のように、打ち損ない及び柔軟性の制限は、感圧キーの端部における性能を減少させ得る。
【００４６】
したがって、この例では、第１のセンサ８０２及び第２のセンサ８０４が、それぞれの第１及び第２のセンサ信号８０６、８０８を、それぞれ提供するように用いられる。さらに、第２のセンサ８０４は、第１のセンサ８０２より増加した感度（例えば、より高い導電性及び／又はより低い抵抗）を有するように構成される。これは、例えば、異なる導体及びセンサ基板４０４の一部としてのセンサとして機能する導体の構成を通じて等、様々な方法で達成され得る。センサ基板４０４の他の構成もまた、キーの異なる位置での感圧キーによって生成される信号を基準化するように作られることができ、この例は以下の図の記述と関連して記載される。
【００４７】
図９は、感圧キーの異なる位置で発生する信号を基準化するように構成されるセンサ基板４０４の導体４１２の例を描く。この例では、センサ基板４０４の導体４１２は、互いに組み合わされる配線フィンガの第１及び第２の部分９０２、９０４で構成される。表面積、導体の量、及び導体の間のギャップが、この例では、センサ基板４０４の異なる位置での感度を調整するように使用される。
【００４８】
例えば、第１の位置９０６に印加され得る圧力が、センサ基板４０４の第２の位置９０８と比べて、フレキシブル接触層４０２の力感受性インク４１０の比較的大きい面積を導体に接触させ得る。図示された例に示されるように、第１の位置で接触される導体の量は、ギャップ間隔及び導体サイズの使用を通じて、第２の部分９０８で接触される導体の量によって基準化される。このような方法で、キーの端部とは対照的にキーの中心でより小さい導体（例えば、より薄い指）及びより大きいギャップを使用することによって、キーに対する特定の性能特性が、典型的なユーザ入力シナリオに適合するように調整され得る。さらに、センサ基板４０４を構成するためのこれらの技術は、基準化及び所望のユーザ入力シナリオをさらに促進するようフレキシブル接触層４０２を構成するために記載される技術と組み合わされ得る。
【００４９】
再び図２に戻ると、これらの技術はまた、例えば、入力装置１０４のキーボードの第１のキーによって発生する信号を、キーボードの第２のキーによって発生する信号と基準化するように等、異なるキーの所望の構成を基準化するとともにサポートするように利用され得る。図３のＱＷＥＲＴ配置で示されるように（しかしこれは他の配置にも等しく適用可能である）、ユーザは、入力装置１０４の端部の近くに位置するキーより入力装置１０４の中心に位置するキーのホームキー列により大きいタイピング圧を加える可能性が高い。これは、シフトキー列に対するユーザの手の指の爪を使用することの開始並びに数字に達するための増加した距離、異なる指（人差し指対小指）の異なる強さ等を含み得る。
【００５０】
したがって、上述の技術はまた、例えば、ホーム列キーに対して数字キーの感度を増加させるように、人差し指キー（例えば、文字“ｆ”、“ｇ”、“ｈ”、及び“ｊ”）と対照的に「小指」キー（例えば、文字“ａ”及びセミコロンキー）の感度を増加させるように等、これらのキーの間の信号を基準化するために適用され得る。様々な他の例もまた考えられ、例えば、より小さい表面積を有するキーを、例えば、シフトキー、スペースバー等大きいキーと比較して、より敏感にするように等、感度を変更することを伴う。
[例示的なシステム及びデバイス]
図１０は、本明細書に記載される技術を実装し得る１又は複数のコンピューティングシステム及び／又は装置を代表する例示的なコンピューティング装置１００２を含む、例示的なシステムを概して１０００で示す。コンピューティング装置１００２は、例えば、ユーザの１又は複数の手で把持されるとともに運ばれるように形成されるとともに寸法決めされるハウジングの使用を通じたモバイル構成を取るように構成されることができ、この図示された例は、携帯電話、携帯ゲーム及び音楽デバイス、及びタブレットコンピュータを含むが、他の例も考えられる。
【００５１】
図示された例示的なコンピューティング装置１００２は、処理システム１００４、１又は複数のコンピュータ可読媒体１００６、及び一方をもう一方と通信可能に結合される１又は複数のＩ／Ｏインタフェース１００８を含む。図示されていないが、コンピューティング装置１００２はさらに、様々な構成要素を、一方をもう一方と結合するシステムバス又は他のデータ及びコマンド伝達システムを含み得る。システムバスは、例えば、メモリバス又はメモリコントローラ、周辺バス、ユニバーサルシリアルバス、及び／又は多種のバスアーキテクチャのいずれかを利用するプロセッサ又はローカルバス等、異なるバス構造のいずれか１つ又は組み合わせを含むことができる。制御及びデータライン等、様々な他の例もまた考えられる。
【００５２】
処理システム１００４は、ハードウェアを使用する１又は複数の動作を実行するための機能の代表である。したがって、処理システム１００４は、プロセッサ、機能ブロック等として構成され得るハードウェア要素１０１０を含んで示される。これは、特定用途向け集積回路、或いは１又は複数の半導体を使用して形成される他の論理デバイスとしてのハードウェアへの実装を含み得る。ハードウェア要素１０１０は、それらが形成される又は処理機構がその中に用いられる材料によって限定されない。例えば、プロセッサは、半導体及び／又はトランジスタ（例えば、電子集積回路（ＩＣ））から構成され得る。このような文脈において、プロセッサ実行可能命令は、電子的に実行可能な命令であり得る。
【００５３】
コンピュータ可読記憶媒体１００６は、メモリ／ストレージ１０１２を含んで示される。メモリ／ストレージ１０１２は、１又は複数のコンピュータ可読媒体と関連したメモリ／ストレージ容量を表す。メモリ／ストレージコンポーネント１０１２は、揮発性媒体（例えば、ランダムアクセスメモリ（ＲＡＭ）等）及び／又は不揮発性媒体（例えば、リードオンリメモリ（ＲＯＭ）、フラッシュメモリ、光ディスク、磁気ディスク等）を含み得る。メモリ／ストレージコンポーネント１０１２は、固定媒体（例えば、ＲＡＭ、ＲＯＭ、固定ハードドライブ等）並びにリムーバブルメディア（例えば、フラッシュメモリ、リムーバブルハードドライブ、光ディスク等）を含み得る。コンピュータ可読媒体１００６は、以下にさらに記載されるように様々な他の方法で構成され得る。
【００５４】
入力／出力インタフェース１００８は、ユーザがコンピューティング装置１００２に命令及び情報を入力することを可能にする、及び、様々な入力／出力装置を用いてユーザ及び／又は他のコンポーネント又はデバイスに情報が提示されることも可能にする、機能を代表する。入力装置の例は、キーボード、カーソル制御装置（例えば、マウス）、マイクロホン、スキャナ、タッチ機能（例えば、物理的なタッチを検出するように構成される静電容量式又は他のセンサ）、カメラ（例えば、タッチを伴わないジェスチャとしての運動を認識するために可視又は赤外線周波数等非可視波長を用い得る）等を含む。出力装置の例は、ディスプレイ装置（例えば、モニタ又はプロジェクタ）、スピーカ、プリンタ、ネットワークカード、触覚応答デバイス等を含む。したがって、コンピューティング装置１００２は、ユーザインタラクションをサポートするために様々な方法で構成され得る。
【００５５】
コンピューティング装置１００２はさらに、コンピューティング装置１００２から物理的且つ通信可能に取り外し可能である入力装置１０１４に、通信可能に且つ物理的に結合されて示される。この方法では、様々な入力装置が、多種多様な機能性をサポートするように多種多様な構成を有するコンピューティング装置１００２に結合され得る。この例では、入力装置１０１４は、１又は複数のキー１０１６を含み、これは感圧キー、機械スイッチ式キー等として構成され得る。
【００５６】
入力装置１０１４はさらに、様々な機能をサポートするように構成され得る１又は複数のモジュール１０１８を含むように示される。１又は複数のモジュール１０１８は、例えば、キーストロークが意図されたかどうかを決定するように、入力が静止圧力を示しているかどうかを決定するように、コンピューティング装置１００２での作動のための入力装置１０１４の認証をサポートするように等、キー１０１６から受けたアナログ及び／又はデジタル信号を処理するように構成され得る。
【００５７】
様々な技術は、ソフトウェア、ハードウェア要素、又はプログラムモジュールの一般的な文脈で本明細書に記載される。一般に、このようなモジュールは、特定のタスクを実行する又は特定の抽象データ型を実装するルーチン、プログラム、オブジェクト、エレメント、コンポーネント、及びデータ構造等を含む。「モジュール」、「機能」、及び「コンポーネント」の用語は、本明細書において用いられる場合、一般に、ソフトウェア、ファームウェア、ハードウェア、又はそれらの組み合わせを表す。本明細書に記載される技術の特徴は、プラットフォームに依存せず、技術が様々なプロセッサを有する様々な商用コンピューティングプラットフォームに実装され得ることを意味する。
【００５８】
記載されたモジュール及び技術の実装は、何らかのコンピュータ可読媒体に記憶され得る又は何らかのコンピュータ可読媒体を渡って送られ得る。コンピュータ可読媒体は、コンピューティング装置１００２によってアクセスされ得る様々な媒体を含み得る。例として且つ限定ではなく、コンピュータ可読媒体は、「コンピュータ可読記憶媒体」及び「コンピュータ可読信号媒体」を含み得る。
【００５９】
「コンピュータ可読記憶媒体」は、単なる信号送信、搬送波、又は信号自体とは対照的に、情報の永続的及び／又は非一時的記憶を可能にする媒体及び／又は装置を示し得る。したがって、コンピュータ可読記憶媒体は、非信号搬送媒体を表す。コンピュータ可読記憶媒体は、例えば、揮発性及び不揮発性、リムーバブル及び非リムーバブル媒体、及び／又は、例えばコンピュータ可読命令、データ構造、プログラムモジュール、ロジック素子／回路、又は他のデータ等の情報の記憶に適する方法又は技術で実装される記憶装置、等、ハードウェアを含む。コンピュータ可読記憶媒体の例は、限定されるものではないが、ＲＡＭ、ＲＯＭ、ＥＥＰＲＯＭ、フラッシュメモリ又は他のメモリ技術、ＣＤ−ＲＯＭ、ディジタルバーサタイルディスク（ＤＶＤ）又は他の光ストレージ、ハードディスク、磁気カセット、磁気テープ、磁気ディスク記憶デバイス又は他の磁気記憶デバイス、又は他の記憶デバイス、有形の媒体、又は所望の情報を記憶するのに適切であるとともにコンピュータによってアクセスされ得る製品を含み得る。
【００６０】
「コンピュータ可読信号媒体」は、例えばネットワークを経由して等、コンピューティング装置１００２のハードウェアに命令を送信するように構成される信号搬送媒体を示し得る。信号媒体は、典型的には、コンピュータ可読命令、データ構造、プログラムモジュール、又は、例えば、搬送波、データ信号、又は他の搬送機構等、変調データ信号の他のデータを実施し得る。信号媒体はまた、任意の情報配信媒体を含む。用語「変調データ信号」は、１又は複数のその特性が、情報を信号にエンコードするような方法で設定又は変更された信号を意味する。例として且つ限定ではなく、通信媒体は、有線ネットワーク又はダイレクト配線接続等の有線媒体、並びに音響、ＲＦ、及び他の無線媒体等の無線媒体を含む。
【００６１】
前述のように、ハードウェア要素１０１０及びコンピュータ可読媒体１００６は、モジュール、プログラム可能デバイスロジック及び／又は１又は複数の命令を実行するように等、本明細書に記載される技術の少なくとも幾つかの態様を実装するために幾つかの実施形態で用いられ得るハードウェアの形態で実装された固定デバイスロジックを代表する。ハードウェアは、集積回路又はオンチップシステムのコンポーネント、特定用途向け集積回路（ＡＳＩＣ）、フィールドプログラマブルゲートアレイ（ＦＰＧＡ）、複合プログラマブル論理デバイス（ＣＰＬＤ）、及びシリコン又は他のハードウェアの他の実装を含み得る。この文脈において、ハードウェアは、ハードウェア並びに、実行のための命令を記憶するために利用されるハードウェア、例えば、前述のコンピュータ可読記憶媒体によって実施される命令及び／又はロジックによって定められるプログラムタスクを実行する処理装置として動作し得る。
【００６２】
前述のものの組み合わせもまた、本明細書に記載された様々な技術を実装するために用いられ得る。したがって、ソフトウェア、ハードウェア、又は実行可能モジュールは、ある形態のコンピュータ可読記憶媒体で及び／又は１又は複数のハードウェア要素１０１０によって実現される１又は複数の命令及び／又はロジックとして実装され得る。コンピューティング装置１００２は、ソフトウェア及び／又はハードウェアモジュールに対応する特定の命令及び／又は機能を実装するように構成され得る。したがって、ソフトウェアとしてコンピューティング装置１００２によって実行可能であるモジュールの実装は、例えば、コンピュータ可読記憶媒体及び／又は処理システム１００４のハードウェア要素１０１０の使用を通じて、少なくとも部分的にハードウェアで達成され得る。命令及び／又は機能は、本明細書に記載された技術、モジュール、及び例を実装するように、１又は複数の製品（例えば、１又は複数のコンピューティング装置１００２及び／又は処理システム１００４）によって実行可能／動作可能であり得る。
[結び]
例示的な実装が、構造的特徴及び／又は方法論的動作に特化した言葉で記載されているが、添付の請求項において定義される実装は、必ずしも、記載された特定の特徴又は動作に限定されるものではないことが理解されるべきである。むしろ、特定の特徴及び動作は、請求項に記載された特徴の実装の例示的な形態として記載されている。
【図１】
2018032430.tif 000003
【図２】
2018032430.tif 000004
【図３】
2018032430.tif 000005
【図４】
2018032430.tif 000006
【図５】
2018032430.tif 000007
【図６】
2018032430.tif 000008
【図７】
2018032430.tif 000009
【図８】
2018032430.tif 000010
【図９】
2018032430.tif 000011
【図１０】
2018032430.tif 000012
【外国語明細書】
2018032430000001.pdf